(57)【特許請求の範囲】
【請求項１】
ガス遮断装置を監視しているセンタ監視装置のセンタ送信手段から通信電文を受信し口火登録許可電文ならば口火登録許可信号を出力し休日データ設定電文なら休日設定信号を出力するセンタ受信手段と、前記センタ受信手段の前記休日設定信号を受け取ると休日データを保存する休日保持部と、前記休日保持部から休日データを取得し前記休日データに基づき１日経過毎に休日であるか否を判定し休日であれば休日信号を出力する休日判定部と、ガス通路内を一定量のガスが通過するごとに流量パルスを出力する流量入力部と、前記流量入力部の前記流量パルス信号からガス通路内を流れるガス使用量を算出し、前記センタ受信手段の口火登録許可信号を受け取りかつ前記ガス使用量があらかじめ記憶している口火登録範囲内ならば口火登録値信号を出力し、あるいは前記休日判定部の前記休日信号がなく前記ガス使用量が口火登録範囲外かまたは口火登録範囲内でも前記センタ受信手段の口火登録許可信号を受け取っておらず口火登録保持部から取得した口火登録値と異なっていればガス継続使用信号を出力し、もしくは前記センタ受信手段の口火登録許可信号を受け取っておらずかつ前記休日判定部の前記休日信号を受け取っており前記口火登録保持部から取得した前記口火登録値と前記ガス使用量が異なれば即時警報許可信号を出力する流量判定部と、前記流量判定部の前記口火登録値信号を受け取ると前記口火登録値を保持する口火保持部と、前記流量判定部の前記ガス継続使用信号を特定日数間受け取り続けると継続後警報許可信号を出力する継続タイマ部と、前記流量判定部の前記即時警報許可信号または前記継続タイマ部の前記継続後警報許可信号を受け取ると外部に警報報知する警報報知部とを備えたガス遮断装置。
【請求項２】
休日信号に基づき休日であるにも関わらずガスが使用されている場合、または非休日であるにも関わらずガスが使用されていない場合には誤休日設定信号を出力する流量判定部と、前記流量判定部の前記誤休日設定信号を複数回受信すると休日データ更新設定信号を出力する休日検出部と、前記休日検出部の前記休日データ更新設定信号を受信すると休日データを書き換える休日保持部を備えた請求項１記載のガス遮断装置。
【発明の詳細な説明】
【０００１】
【発明の属する技術分野】
本発明はガスメータ以後のガス使用時に、ガス使用上の安全性を図るガス遮断装置に関するものである。
【０００２】
【従来の技術】
従来、この種のガス遮断装置は図５に示されているように、センタ受信手段２はセンタ監視装置のセンタ送信手段１から口火登録許可電文Ａを取得すると口火登録許可信号Ｂを出力し、流量入力部３はガス通路内を一定量のガスが通過するごとに流量パルス信号Ｃを出力し、流量判定部４は前記流量入力部３の前記流量パルス信号Ｃを受け取るとガス使用量を算出する。
【０００３】
流量判定部４は前記センタ受信手段２から前記口火登録許可信号Ｂを受け取りあらかじめ記憶している口火登録範囲内であれば口火登録許可信号Ｄを出力し、前記ガス使用量が前記口火登録範囲外であるかまたは口火登録範囲内であっても前記センタ受信手段２から前記口火登録許可信号Ｂを受けておらず口火保持部５から取得した口火登録値Ｅと前記ガス使用量が異なればガス継続使用信号Ｆを出力する。
【０００４】
口火保持部５は前記流量判定部４の前記口火登録値信号Ｄを受け取ると前記口火登録値を保持し、継続タイマ部６は前記流量判定部４の前記ガス継続使用信号Ｆを特定日数間受け取り続けると継続後警報許可信号Ｇを出力し、警報報知部７は前記継続タイマ部６の前記継続後警報許可信号Ｇを受け取ると外部に警報報知するようになっていた。
【０００５】
【発明が解決しようとする課題】
しかしながら、従来のガス遮断装置では、口火流量を登録する時点で十分な漏れ確認を行っていなければ（営業日にやむおえずガス遮断装置を交換した場合、口火登録を実施するのに最長６０分かかるため営業活動に多大の被害を与える可能性がある。
【０００６】
従って、以後いつの日か口火流量が出現した場合に登録できるように登録許可をして放置され、この場合においてガス漏れの十分な確認ができないためガス漏れと口火流量とを併せて誤登録をしてしまうこととなる）、本当はガス漏れを起こしていても口火流量とガス漏れ量の２つの併せ持った流量を登録すべき１つの正しい口火流量値として間違って計測してしまうこととなっていたり、またガス漏れ量と独立して口火流量を登録してもガス未使用時のガス漏れ量をガス使用時と区別するめたに長期にわたり（３０日間）監視するようになっていた。
【０００７】
このため、一端ガス漏れ量を併せ持ったガス使用量を口火登録値として登録してしまうと、以後この口火登録値に基づきガス漏れ判定を実施するため、本当はガスが漏れているにも関わらずガス漏れなしとなるという課題と、ガス漏れ量と独立して口火流量を登録した場合でもガス漏れ量を検出して警報報知するまでの期間が長いという２つの課題を有していた。
【０００８】
【課題を解決するための手段】
本発明１は上記課題を解決するために、特定の定休日を持つ需要家に対して、たとえ口火登録流量を登録する時点で十分な漏れ確認を行っておらず、口火流量とガス漏れ量の２つの併せ持った流量を口火流量値として間違って登録してしまっても、定休日のガス使用量を測定することで（定休日はガスを使用しないため）純粋にガスの漏れ量を検知する事が可能となり、かつ短期間にガスの漏れを警報報知することができる。
【０００９】
【発明の実施の形態】
ガス遮断装置は、ガス遮断装置を監視しているセンタ監視装置のセンタ送信手段から通信電文を受信し、口火登録許可電文ならば口火登録許可信号を出力し休日データ設定電文なら休日設定信号を出力するセンタ受信手段と、前記センタ受信手段の前記休日設定信号を受け取ると休日データを保存する休日保持部と、前記休日保持部から休日データを取得し、前記休日データに基づき１日経過毎に休日であるかを判定し、休日であれば休日信号を出力する休日判定部と、ガス通路内を一定量のガスが通過するごとに流量パルスを出力する流量入力部と、前記流量入力部の前記流量パルス信号からガス通路内を流れるガス使用量を算出し、前記センタ受信手段の口火登録許可信号を受け取り、かつ前記ガス使用量があらかじめ記憶している口火登録範囲内ならば口火登録値信号を出力し、あるいは前記休日判定部の前記休日信号がなく前記ガス使用量が口火登録範囲外か、または口火登録範囲内でも前記センタ受信手段の口火登録許可信号を受け取っておらず、口火登録保持部から取得した口火登録値と異なっていればガス継続使用信号を出力し、もしくは前記センタ受信手段の口火登録許可信号を受け取っておらずかつ前記休日判定部の前記休日信号を受け取っており、前記口火登録保持部から取得した前記口火登録値と前記ガス使用量が異なれば即時警報許可信号を出力する流量判定部と、前記流量判定部の前記口火登録値信号を受け取ると前記口火登録値を保持する口火保持部と、前記流量判定部の前記ガス継続使用信号を特定日数間受け取り続けると継続後警報許可信号を出力する継続タイマ部と、前記流量判定部の前記即時警報許可信号または前記継続タイマ部の前記継続後警報許可信号を受け取ると外部に警報報知する警報報知部とを有し、センタ監視装置は前記ガス遮断装置を監視し前記口火登録許可電文と休日データ設定電文を出力するものである。
【００１０】
また休日信号に基づき休日であるにも関わらずガスが使用されている場合、または非休日であるにも関わらずガスが使用されていない場合には誤休日設定信号を出力する流量判定部と、前記流量判定部の前記誤休日設定信号を複数回受信すると休日データ更新設定信号を出力する休日検出部と、前記休日検出部の前記休日データ更新設定信号を受信すると休日データを書き換える休日保持部を付け加えたものである。
【００１１】
【実施例】
以下、本発明の実施例について図面を用いて説明する。
【００１２】
（実施例１）
図１は本発明の実施例１のガス遮断装置の機能ブロック図である。また図２は実施例１のプログラムフローチャートである。
【００１３】
図１において、センタ監視装置のセンタ送信手段１は需要家のガス遮断装置に対して口火流量を登録させる場合には口火登録許可電文を、または需要家の休日（例えば毎週水曜日や盆暮れ等の休日）データを設定する場合には休日データ設定電文の各電文Ａを送信する。
【００１４】
ガス遮断装置のセンタ受信手段２はセンタ送信手段１から送られてきた電文Ａを識別し、口火登録許可電文ならば口火登録許可信号Ｂを出力し、休日データ設定電文ならば休日設定信号Ｈを出力する。
【００１５】
休日保持部８はセンタ受信手段２の休日設定信号Ｈに基づき休日データＩを保持する。
【００１６】
休日判定部９は１日経過毎に休日保持部８の休日データＩを取得して本日が休日であるかどうかを判定し、本日が休日であれば休日信号Ｊを出力する。
【００１７】
流量入力部３はガス通路内を一定量のガスが通過するごとに流量パルスＣを出力する。
【００１８】
流量判定部４は流量入力部３の流量パルス信号Ｃからガス通路内を流れるガス使用量を算出する。
【００１９】
センタ受信手段２の口火登録許可信号Ｂを受け取り、かつガス使用量があらかじめ記憶している口火登録範囲内ならば、ガス使用量を口火流量として登録するために口火登録値信号Ｄを出力する。
【００２０】
あるいは休日判定部９の休日信号Ｊがなく（即ち営業日）、ガス使用量が口火登録範囲外か（口火登録範囲以上はガス器具で調理等の一般的なガスの使用をしている状態、口火登録範囲以下はガスの燃焼がほぼ不可能なためガス漏れの可能性が高いが検知に時間がかかる）、または口火登録範囲内でもセンタ受信手段２の口火登録許可信号Ｂを受け取っておらず（口火登録後のガス漏れの検出）口火保持部５から取得した口火登録値Ｅと異なっていれば（あきらかに口火流量として登録していない流量のため多分にガス漏れである可能性がある）ガス継続使用信号Ｆを出力する。
【００２１】
もしくはセンタ受信手段２の口火登録許可信号Ｂを受け取っておらず、かつ休日判定部９の休日信号Ｊを受け取っており（定休日はガスを使用していないのでガス漏れである可能性が非常に高い）、口火保持部５から取得した口火登録値Ｅとガス使用量が異なれば即時警報許可信号Ｋ（ガス漏れの確度が高いためすぐに警報報知する）を出力する。
【００２２】
口火保持部５は流量判定部４の口火登録値信号Ｄを受け取ると口火登録値Ｅを保持する。
【００２３】
継続タイマ部６は流量判定部４のガス継続使用信号Ｆを特定日数間（たとえば３０日間）受け取り続けると継続後警報許可信号Ｇを出力する。
【００２４】
警報報知部７は流量判定部４の即時警報許可信号Ｋまたは継続タイマ部６の継続後警報許可信号Ｇを受け取ると外部に警報報知（ＬＥＤやＬＣＤ表示灯の視覚的表示やセンタ監視装置に電文を送信したり、ブザー音等による音で報知する）する。
【００２５】
次に動作、作用について説明すると、図２に上記手段のプログラムフローをＴ１からＴ２１に示す。今、処理開始から処理終了までのフローはそれぞれインターバルカレンダ等により周期的に処理されるものとする。
【００２６】
ガス遮断装置のセンタ受信手段２において処理Ｔ１は、センタ監視装置のセンタ送信手段１からの口火登録許可電文または休日データ設定電文が送信の有無を判定し送信されていれば処理Ｔ２へ移行し、送信されていなければ処理Ｔ５へ移行する。
【００２７】
処理Ｔ２は送信されてきた電文が口火登録許可電文であるかを判定し、口火登録許可電文であれば処理Ｔ３へ移行し、口火登録許可電文でなければ（休日データ設定電文）処理Ｔ４へ移行する。処理Ｔ３は口火登録を許可して処理Ｔ５へ移行する。
【００２８】
休日保持部８において処理Ｔ４は休日データ（例えば毎週水曜日の様な週単位（年、月、週単位）の管理方法や、盆暮れ等の日単位の管理方法で休日を設定する）を保持して処理Ｔ５へ移行する。
【００２９】
休日判定部９において処理Ｔ５は１日（例えば営業が終了している毎日午前２時に）が経過したかを判定し、１日が経過していれば処理Ｔ６へ移行し、１日が経過していなければ処理Ｔ９へ移行する。
【００３０】
処理Ｔ６は休日保持部８で保持している休日データに基づき本日が休日であるかを判定し、休日であれば処理Ｔ７へ移行し、休日でなければ処理Ｔ８へ移行する。
【００３１】
処理Ｔ７は休日フラグを休日にして処理Ｔ９へ移行する。処理Ｔ８は休日フラグを非休日にして処理Ｔ９へ移行する。
【００３２】
流量入力部３において処理Ｔ９はガス通路内を一定時間内（例えば６０分間）に一定量のガスが通過したかを判定し、一定量のガスが通過すれば処理Ｔ１０へ移行し、一定量のガスが通過していなければ処理Ｔ２１へ移行する。
【００３３】
流量判定部４において処理Ｔ１０は流量入力部３で取得した一定量のガス通過からガスの使用量を算出し、あらかじめガス遮断装置が記憶している口火登録範囲内であるかを判定し、口火登録範囲内であれば処理Ｔ１１へ移行し、口火登録範囲外（ガス器具で調理等の一般的なガスの使用をしている状態）であれば処理Ｔ１９へ移行する。
【００３４】
処理Ｔ１１は休日フラグに基づき本日が休日であるかを判定し、休日であれば処理Ｔ１２へ移行し、非休日であれば処理Ｔ１３へ移行する。
【００３５】
処理Ｔ１２は口火保持部５が保持している口火流量値を取得して処理Ｔ１０で算出したガスの使用量と等しい（例えば誤差±５％は等しいとみなす）かを比較して、等しければ処理を終了し、等しくなければ処理Ｔ１８へ移行する。
【００３６】
処理Ｔ１３は口火登録が許可されているかを判定し、許可されていれば処理Ｔ１４へ移行し、許可されていなければ処理Ｔ１５へ移行する。
【００３７】
口火保持部５において処理Ｔ１４は処理Ｔ１０で算出されたガスの使用量を口火流量値として保持して処理を終了する。
【００３８】
流量判定部４において処理Ｔ１５は口火保持部５が保持している口火流量値を取得して処理Ｔ１０で算出したガスの使用量と等しい（例えば誤差±５％は等しいとみなす）かを比較して、等しければ処理を終了し、等しくなければ処理Ｔ１６へ移行する。
【００３９】
継続タイマ部６において処理Ｔ１６はガスの連続使用中タイマをカウントして処理Ｔ１７へ移行する。
【００４０】
処理Ｔ１７はガスの連続使用中タイマがカウントアップしたかを判定し（例えば３０日間連続ガスが使用されているかを判定する）、カウントアップしていれば処理Ｔ１８へ移行し、カウントアップしていなければ処理を終了する。
警報報知部７において処理Ｔ１８は外部に警報報知（例えばＬＥＤやＬＣＤ表示灯の視覚的表示やセンタ監視装置に電文を送信したり、ブザー音等による音で報知する）して処理を終了する。
【００４１】
流量判定部４において処理Ｔ１９は休日フラグに基づき本日が休日であるかを判定し、休日であれば処理Ｔ２０へ移行し、非休日であれば処理Ｔ１６へ移行する。
【００４２】
処理Ｔ２０は休日フラグを非休日にして（休日にも関わらずガス器具で調理等の一般的なガスの使用をしている状態であれば臨時に営業をしいてると判断して）処理Ｔ１６へ移行する。
【００４３】
処理Ｔ２１はガスの使用を中断したと見なし、ガスの連続使用中タイマをクリアして処理を終了する。
【００４４】
（実施例２）
図３は本発明の実施例２のガス遮断装置の機能ブロック図である。また図４は実施例２のプログラムフローチャートである。なお実施例１と同一符号のものは同一構造を有し、説明は省略する。
【００４５】
実施例１と異なる点は、図３の機能ブロック図において、流量判定部４は休日信号Ｊに基づき休日であるにも関わらずガスが使用されている場合、または非休日であるにも関わらずガスが使用されていない場合には誤休日設定信号Ｌを出力し、休日検出部１０は流量判定部４の誤休日設定信号Ｌを複数回受信すると（たとえば週単位の管理方法において定休日である水曜日が３回連続でガスが使用されており、かつ木曜日が３回連続でガスを使用しなかった場合には定休日が水曜日から木曜日に変更されたものと見なし）休日データ更新設定信号Ｍを出力し、休日保持部８は休日検出部１０の休日データ更新設定信号Ｍを受信すると休日データを書き換える。
【００４６】
次に動作、作用について具体的な説明を図４を用いて説明する。
図４に上記手段のプログラムフローをＴ１からＴ２７に示す。なお実施例１と同一符号のものは同一構造を有し、説明は省略する。
なお処理Ｔ２１は処理Ｔ２２へ、処理Ｔ２０は処理Ｔ２４へ、処理Ｔ１８は処理Ｔ２５へ移行するものとする。
【００４７】
休日検知部１０において処理Ｔ２２は休日フラグに基づき休日であれば処理Ｔ２５へ移行し、非休日であれば処理Ｔ２３へ移行する。処理Ｔ２３は休日をカウント（たとえば週単位方式では曜日と回数）して処理Ｔ２５へ移行する。
処理Ｔ２４は非休日をカウント（たとえば週単位方式では曜日と回数）して処理Ｔ１６へ移行する。
【００４８】
処理Ｔ２５は非休日のカウントが規定回数（たとえば３回）を越えたか（たとえば１ヶ月間に３回を越えなければ各曜日の回数をクリアする。）を判定して越えていれば処理Ｔ２６へ移行し、越えていなければ処理を終了する。
【００４９】
処理Ｔ２６は休日のカウントが規定回数（たとえば３回）を越えたか（たとえば１ヶ月間に３回を越えなければ各曜日の回数をクリアする。）を判定して越えていれば処理Ｔ２７へ移行し、越えていなければ処理を終了する。
【００５０】
処理２７は非休日と休日の両カウンタをクリアし、休日保持部８の休日データを更新して処理を終了する。
【００５１】
【発明の効果】
以上のように本発明１によれば特定の定休日を持つ需要家に対して、たとえ口火登録流量を登録する時点で十分な漏れ確認を行っておらず、口火流量とガス漏れ量の２つの併せ持った流量を口火流量値として間違って登録してしまっても、定休日のガス使用量を測定することで（定休日はガスを使用しないため）純粋にガスの漏れ量を検知する事が可能となり、かつ短期間（３０日掛かっていたものを１日に短縮）にガスの漏れを警報報知することができ安全性を向上することができる。
【００５２】
また、本発明２によれば定休日の変更やテナントの変更に対してガス流量の使用パターンにより定休日を自動更新することが可能となり、ガスの使用されていない最適な状態で柔軟にガス漏れの検査を周期的に実施でき、より安全性を向上することができる。
【図面の簡単な説明】
【図１】本発明の実施例１のガス遮断装置の機能ブロック図
【図２】同装置のプログラムフローチャート
【図３】本発明の実施例２のガス遮断装置の機能ブロック図
【図４】同装置のプログラムフローチャート
【図５】従来のガス遮断装置の機能ブロック図
【符号の説明】
１  センタ送信手段
２  センタ受信手段
３  流量入力部
４  流量判定部
５  口火保持部
６  継続タイマ部
７  警報報知部
８  休日保持部
９  休日判定部
１０  休日検出部
【図１】
0003915189.tif 000002
【図２】
0003915189.tif 000003
【図３】
0003915189.tif 000004
【図４】
0003915189.tif 000005
【図５】
0003915189.tif 000006